(57)【要約】【課題】ハイブリッド車両用駆動装置において、エンジンの停止中にそのエンジンに加わる走行振動がそのエンジンの耐久性に影響する可能性を低減する制御装置を提供する。【解決手段】モータ走行での連続走行距離ＬMが所定の連続走行距離判定値Ｌ１を超えた場合には、エンジン出力軸９４を回転させる内燃機関回転制御が行われる。そうすると、エンジン出力軸９４の回転によりエンジン８内の潤滑が促進され、また、エンジン出力軸９４を一度回転させるとその回転の前後でエンジン８の構成部品が全く同じ姿勢等であるということは実際にはあり得ず、上記モータ走行の走行振動が加わる中、エンジン８が静止した状態でエンジン８の構成部品の同じ部位同士が同じ姿勢にまま互いに接触し続けることが回避されるので、モータ走行中に生じる走行振動がエンジン８の耐久性に影響することを軽減できる。【選択図】図６
2008302801.tif 000002
【特許請求の範囲】
【請求項１】
内燃機関と、駆動輪への動力伝達経路に連結された電動機とを含み、該内燃機関を停止した状態で該電動機による走行を行う電動機走行が可能なハイブリッド車両用駆動装置の制御装置であって、
前記電動機走行での連続走行距離が所定値を超えた場合には前記内燃機関の出力軸を回転させる内燃機関回転制御を行う
ことを特徴とするハイブリッド車両用駆動装置の制御装置。
【請求項２】
内燃機関と、駆動輪への動力伝達経路に連結された電動機とを含み、該内燃機関を停止した状態で該電動機による走行を行う電動機走行が可能なハイブリッド車両用駆動装置の制御装置であって、
前記電動機走行での連続走行時間が所定値を超えた場合には前記内燃機関の出力軸を回転させる内燃機関回転制御を行う
ことを特徴とするハイブリッド車両用駆動装置の制御装置。
【請求項３】
内燃機関と、駆動輪への動力伝達経路に連結された電動機とを含み、該内燃機関を停止した状態で該電動機による走行を行う電動機走行が可能なハイブリッド車両用駆動装置の制御装置であって、
前記電動機走行中における車速が所定値を超えた場合には前記内燃機関の出力軸を回転させる内燃機関回転制御を行う
ことを特徴とするハイブリッド車両用駆動装置の制御装置。
【請求項４】
前記内燃機関回転制御における前記出力軸の回転速度は前記内燃機関の冷却液の温度により変更される
ことを特徴とする請求項１乃至請求項３のいずれかのハイブリッド車両用駆動装置の制御装置。
【請求項５】
前記内燃機関回転制御における前記出力軸の回転速度は外気温度により変更される
ことを特徴とする請求項１乃至請求項３のいずれかのハイブリッド車両用駆動装置の制御装置。
【請求項６】
前記内燃機関回転制御において前記出力軸を回転させる実施時間は前記内燃機関の冷却液の温度により変更される
ことを特徴とする請求項１乃至請求項３のいずれかのハイブリッド車両用駆動装置の制御装置。
【請求項７】
前記内燃機関回転制御において前記出力軸を回転させる実施時間は外気温度により変更される
ことを特徴とする請求項１乃至請求項３のいずれかのハイブリッド車両用駆動装置の制御装置。
【請求項８】
前記ハイブリッド車両用駆動装置は、前記内燃機関に動力伝達可能に連結された動力伝達装置を含み、
該動力伝達装置は、差動機構と該差動機構に動力伝達可能に連結された差動用電動機とを有し該差動用電動機の運転状態が制御されることにより該差動機構の差動状態が制御される電気式差動部と、前記動力伝達経路の一部を構成する変速部とを備えている
ことを特徴とする請求項１乃至請求項３のいずれかのハイブリッド車両用駆動装置の制御装置。
【請求項９】
前記変速部は有段変速機である
ことを特徴とする請求項８のハイブリッド車両用駆動装置の制御装置。
【請求項１０】
前記電気式差動部は２つ以上の電動機と遊星歯車装置とを備えている
ことを特徴とする請求項８のハイブリッド車両用駆動装置の制御装置。
【発明の詳細な説明】
【技術分野】
【０００１】
本発明は、内燃機関を停止した状態で電動機によって走行可能なハイブリッド車両用駆動装置の制御装置に係り、内燃機関の停止中にその内燃機関に加わる走行振動がその内燃機関の耐久性に影響することを軽減する技術に関するものである。
【背景技術】
【０００２】
従来から、内燃機関に連結された第１回転要素と第１電動機に連結された第２回転要素と第２電動機及び動力伝達経路に連結された第３回転要素とを有する差動機構を備えたハイブリッド車両用駆動装置の制御装置が知られている。例えば、特許文献１のハイブリッド車両用駆動装置の制御装置がそれである。そして、そのハイブリッド車両用駆動装置の制御装置は、内燃機関を停止させた状態で上記第２電動機からの出力により走行する電動機走行を行うことが可能であった。
【特許文献１】特開２００５−２６４７６２号公報
【発明の開示】
【発明が解決しようとする課題】
【０００３】
前記電動機走行では上記内燃機関が静止した状態、具体的には、その内燃機関の構成部品の同じ部位同士が同じ姿勢のまま互いに接触し続けその内燃機関内を潤滑油が循環しない状態で、その内燃機関に車両走行から生じる走行振動が加わることとなり、この状態が長時間連続した場合等においては上記走行振動が上記内燃機関の耐久性等に影響することが考えられる。しかし、上記特許文献１のハイブリッド車両用駆動装置の制御装置は上記電動機走行を行い得るにも関わらず、その電動機走行中に上記走行振動が静止状態の上記内燃機関に与える影響の可能性について考慮されているものでは無かった。
【０００４】
本発明は、以上の事情を背景としてなされたものであり、その目的とするところは、内燃機関を停止した状態で電動機によって走行可能なハイブリッド車両用駆動装置において、内燃機関の停止中にその内燃機関に加わる走行振動がその内燃機関の耐久性に影響する可能性を低減する制御装置を提供することにある。
【課題を解決するための手段】
【０００５】
かかる目的を達成するために、請求項１に係る発明は、（ａ）内燃機関と、駆動輪への動力伝達経路に連結された電動機とを含み、その内燃機関を停止した状態でその電動機による走行を行う電動機走行が可能なハイブリッド車両用駆動装置の制御装置であって、（ｂ）前記電動機走行での連続走行距離が所定値を超えた場合には前記内燃機関の出力軸を回転させる内燃機関回転制御を行うことを特徴とする。
【０００６】
請求項２に係る発明は、（ａ）内燃機関と、駆動輪への動力伝達経路に連結された電動機とを含み、その内燃機関を停止した状態でその電動機による走行を行う電動機走行が可能なハイブリッド車両用駆動装置の制御装置であって、（ｂ）前記電動機走行での連続走行時間が所定値を超えた場合には前記内燃機関の出力軸を回転させる内燃機関回転制御を行うことを特徴とする。
【０００７】
請求項３に係る発明は、（ａ）内燃機関と、駆動輪への動力伝達経路に連結された電動機とを含み、その内燃機関を停止した状態でその電動機による走行を行う電動機走行が可能なハイブリッド車両用駆動装置の制御装置であって、（ｂ）前記電動機走行中における車速が所定値を超えた場合には前記内燃機関の出力軸を回転させる内燃機関回転制御を行うことを特徴とする。
【０００８】
請求項４に係る発明は、前記内燃機関回転制御における前記出力軸の回転速度が前記内燃機関の冷却液の温度により変更されることを特徴とする。
【０００９】
請求項５に係る発明は、前記内燃機関回転制御における前記出力軸の回転速度が外気温度により変更されることを特徴とする。
【００１０】
請求項６に係る発明は、前記内燃機関回転制御において前記出力軸を回転させる実施時間が前記内燃機関の冷却液の温度により変更されることを特徴とする。
【００１１】
請求項７に係る発明は、前記内燃機関回転制御において前記出力軸を回転させる実施時間が外気温度により変更されることを特徴とする。
【００１２】
請求項８に係る発明は、（ａ）前記ハイブリッド車両用駆動装置は、前記内燃機関に動力伝達可能に連結された動力伝達装置を含み、（ｂ）その動力伝達装置は、差動機構とその差動機構に動力伝達可能に連結された差動用電動機とを有しその差動用電動機の運転状態が制御されることによりその差動機構の差動状態が制御される電気式差動部と、前記動力伝達経路の一部を構成する変速部とを備えていることを特徴とする。
【００１３】
請求項９に係る発明は、前記変速部が有段変速機であることを特徴とする。
【００１４】
請求項１０に係る発明は、前記電気式差動部が２つ以上の電動機と遊星歯車装置とを備えていることを特徴とする。
【発明の効果】
【００１５】
請求項１に係る発明によれば、前記電動機走行での連続走行距離が所定値を超えた場合には前記内燃機関の出力軸を回転させる内燃機関回転制御が行われる。そうすると、その出力軸の回転によりその内燃機関内の潤滑が促進され、また、走行振動が加わる中その内燃機関が静止した状態でその内燃機関の構成部品の同じ部位同士が同じ姿勢にまま互いに接触し続けることが回避されるので、上記電動機走行中に生じる走行振動が上記内燃機関の耐久性に影響することを軽減できる。
【００１６】
なお好適には、上記内燃機関回転制御においては上記内燃機関を始動させるためにその出力軸を回転させるわけではないので、その内燃機関の点火は行われない。
【００１７】
また好適には、上記内燃機関回転制御において上記内燃機関の出力軸の回転は所定時間又は所定の回転回数実施される。
【００１８】
また、上記内燃機関の特定の回転速度範囲においてその内燃機関の回転から生じる振動が大きく増幅されるその内燃機関の回転速度領域における共振領域が存在する場合がある。その場合において好適には、上記内燃機関回転制御での上記内燃機関の出力軸の回転速度は上記共振領域以下とされる。
【００１９】
請求項２に係る発明によれば、上記電動機走行での連続走行時間が所定値を超えた場合には上記内燃機関回転制御が行われる。そうすると、上記内燃機関の出力軸の回転によりその内燃機関内の潤滑が促進され、また、走行振動が加わる中その内燃機関が静止した状態でその内燃機関の構成部品の同じ部位同士が同じ姿勢にまま互いに接触し続けることが回避されるので、上記電動機走行中に生じる走行振動が上記内燃機関の耐久性に影響することを軽減できる。
【００２０】
一般的に、車速が高いほど車両を構成している上記内燃機関等に加わる振動は大きくなるものである。この点、請求項３に係る発明によれば、上記電動機走行中における上記車速が所定値を超えた場合には上記内燃機関回転制御が行われる。そうすると、上記内燃機関の出力軸の回転によりその内燃機関内の潤滑が促進され、また、大きい走行振動が加わる中でその内燃機関の静止状態が継続されることが回避されるので、上記電動機走行中に生じる走行振動が上記内燃機関の耐久性に影響することを軽減できる。
【００２１】
一般に、上記内燃機関の冷却液の温度が変われば、その内燃機関の潤滑油の温度及びその粘度も変わり、その内燃機関を所定の回転速度で所定時間回転させてもその内燃機関内の潤滑の促進具合は異なってくるものである。この点、請求項４に係る発明によれば、上記内燃機関回転制御における前記出力軸の回転速度は上記内燃機関の冷却液の温度により変更されるので、その内燃機関回転制御において、その冷却液の温度の違いによって上記内燃機関内の潤滑の促進具合の差異が大きくなることを抑えることが可能である。なお好適には、上記内燃機関回転制御における前記出力軸の回転速度は、上記内燃機関の冷却液の温度が低いほど高くなるように変更される。
【００２２】
一般に、外気温度が変われば、上記内燃機関の潤滑油の温度及びその粘度も変わり、その内燃機関を所定の回転速度で所定時間回転させてもその内燃機関内の潤滑の促進具合は異なってくるものである。この点、請求項５に係る発明によれば、上記内燃機関回転制御における上記出力軸の回転速度は上記外気温度により変更されるので、その内燃機関回転制御において、その外気温度の違いによって上記内燃機関内の潤滑の促進具合の差異が大きくなることを抑えることが可能である。なお好適には、上記内燃機関回転制御における前記出力軸の回転速度は、上記外気温度が低いほど高くなるように変更される。
【００２３】
請求項６に係る発明によれば、上記内燃機関回転制御において上記出力軸を回転させる実施時間は上記内燃機関の冷却液の温度により変更されるので、その冷却液の温度の違いによって上記内燃機関内の潤滑の促進具合の差異が大きくなることを抑えることが可能である。なお好適には、上記内燃機関回転制御において上記出力軸を回転させる実施時間は、上記内燃機関の冷却液の温度が低いほど長くなるように変更される。
【００２４】
請求項７に係る発明によれば、上記内燃機関回転制御において上記出力軸を回転させる実施時間は外気温度により変更されるので、その外気温度の違いによって上記内燃機関内の潤滑の促進具合の差異が大きくなることを抑えることが可能である。なお好適には、上記内燃機関回転制御において上記出力軸を回転させる実施時間は、上記外気温度が低いほど長くなるように変更される。
【００２５】
請求項８に係る発明によれば、前記動力伝達装置は、差動機構とその差動機構に動力伝達可能に連結された差動用電動機とを有しその差動用電動機の運転状態が制御されることにより上記差動機構の差動状態が制御される電気式差動部と、前記動力伝達経路の一部を構成する変速部とを備えているので、その電気式差動部とその変速部とで全体として無段変速機を構成することが可能であり、上記動力伝達装置からの出力トルクを滑らかに変化させることが可能である。尚、上記電気式差動部は、その変速比が連続的に変化するように作動させる他にその変速比が段階的に変化するように作動させることも可能である。
【００２６】
なお好適には、前記ハイブリッド車両用駆動装置は、前記差動機構の差動作用を制限できる差動制限装置を備えており、その差動制限装置によって上記差動機構の差動作用を制限することで前記内燃機関の出力軸を回転させる。このようにすれば、前記差動機構の差動状態を制御する上記差動用電動機を駆動しなくても上記内燃機関の出力軸を回転させることができる。
【００２７】
請求項９に係る発明によれば、上記変速部は有段変速機であるので、その変速部の変速比を広い範囲で変化させることが可能である。
【００２８】
請求項１０に係る発明によれば、前記電気式差動部は２つ以上の電動機と遊星歯車装置とを備えているので、その電動機の運転状態が制御されることにより、前記内燃機関の回転速度を変化させなくても、前記電気式差動部からの出力回転速度を連続的に増減速できる。
【発明を実施するための最良の形態】
【００２９】
以下、本発明の実施例を図面を参照しつつ詳細に説明する。
【実施例】
【００３０】
本発明の制御装置が適用されるハイブリッド車両用駆動装置は、動力伝達装置である変速機構１０とエンジン８とを含み、図１は、そのハイブリッド車両用駆動装置の一部を構成する変速機構１０を説明する骨子図である。図１において、変速機構１０は車体に取り付けられる非回転部材としてのトランスミッションケース１２（以下、「ケース１２」という）内において共通の軸心上に配設された入力回転部材としての入力軸１４と、この入力軸１４に直接に或いは図示しない脈動吸収ダンパー（振動減衰装置）を介して直接に連結された差動部１１と、その差動部１１と駆動輪３８（図６参照）との間の動力伝達経路で伝達部材（伝動軸）１８を介して直列に連結されている自動変速部２０と、この自動変速部２０に連結されている出力回転部材２２とを直列に備えている。この変速機構１０は、車両において縦置きされるＦＲ（フロントエンジン・リヤドライブ）型車両に好適に用いられるものであり、入力軸１４に直接に或いは図示しない脈動吸収ダンパーを介して直接的に連結された走行用の駆動力源として例えばガソリンエンジンやディーゼルエンジン等の内燃機関であるエンジン８と一対の駆動輪３８（図６参照）との間に設けられて、エンジン８からの動力を動力伝達経路の一部を構成する差動歯車装置（終減速機）３６および一対の車軸等を順次介して左右の駆動輪３８へ伝達する。
【００３１】
このように、本実施例の変速機構１０においてはエンジン８と差動部１１とは直結されている。具体的には、エンジン８の出力軸であるエンジン出力軸９４と変速機構１０の入力軸１４とが直結されているということである。この直結にはトルクコンバータやフルードカップリング等の流体式伝動装置を介することなく連結されているということであり、例えば上記脈動吸収ダンパーなどを介する連結はこの直結に含まれる。なお、変速機構１０はその軸心に対して対称的に構成されているため、図１の骨子図においてはその下側が省略されている。
【００３２】
第１電動機Ｍ１を利用して差動状態が変更されるという点で電気式差動部と言うことができる差動部１１は、２つの電動機と本発明の遊星歯車装置に対応する差動部遊星歯車装置２４を有する動力分配機構１６とを備えている。詳細に言うと、差動部１１は、本発明の差動用電動機に対応する第１電動機Ｍ１と、入力軸１４に入力されたエンジン８の出力を機械的に分配する機械的機構であってエンジン８の出力を第１電動機Ｍ１および伝達部材１８に分配する差動機構としての動力分配機構１６と、伝達部材１８と一体的に回転するように駆動輪３８への動力伝達経路に連結された電動機である第２電動機Ｍ２とを備えている。なお、第１電動機Ｍ１および第２電動機Ｍ２は発電機能をも有する所謂モータジェネレータであるが、第１電動機Ｍ１は反力を発生させるためのジェネレータ（発電）機能を少なくとも備え、第２電動機Ｍ２は走行用の駆動力源として駆動力を出力するためのモータ（電動機）機能を少なくとも備える。
【００３３】
本発明の差動機構に対応する動力分配機構１６は、例えば「０．４１８」程度の所定のギヤ比ρ０を有するシングルピニオン型の差動部遊星歯車装置２４と、切換クラッチＣ０および切換ブレーキＢ０とを主体的に備えている。この差動部遊星歯車装置２４は、差動部サンギヤＳ０、差動部遊星歯車Ｐ０、その差動部遊星歯車Ｐ０を自転および公転可能に支持する差動部キャリヤＣＡ０、差動部遊星歯車Ｐ０を介して差動部サンギヤＳ０と噛み合う差動部リングギヤＲ０を回転要素（要素）として備えている。差動部サンギヤＳ０の歯数をＺＳ０、差動部リングギヤＲ０の歯数をＺＲ０とすると、上記ギヤ比ρ０はＺＳ０／ＺＲ０である。
【００３４】
この動力分配機構１６においては、差動部キャリヤＣＡ０は入力軸１４すなわちエンジン８に連結され、差動部サンギヤＳ０は第１電動機Ｍ１に連結され、差動部リングギヤＲ０は伝達部材１８に連結されている。また、切換ブレーキＢ０は差動部サンギヤＳ０とケース１２との間に設けられ、切換クラッチＣ０は差動部サンギヤＳ０と差動部キャリヤＣＡ０との間に設けられている。それら切換クラッチＣ０および切換ブレーキＢ０が解放されると、動力分配機構１６は差動部遊星歯車装置２４の３要素である差動部サンギヤＳ０、差動部キャリヤＣＡ０、差動部リングギヤＲ０がそれぞれ相互に相対回転可能とされて差動作用が作動可能なすなわち差動作用が働く差動状態とされることから、エンジン８の出力が第１電動機Ｍ１と伝達部材１８とに分配されるとともに、分配されたエンジン８の出力の一部で第１電動機Ｍ１から発生させられた電気エネルギで蓄電されたり第２電動機Ｍ２が回転駆動されるので、差動部１１（動力分配機構１６）は電気的な差動装置として機能させられて例えば差動部１１は所謂無段変速状態（電気的ＣＶＴ状態）とされて、エンジン８の所定回転に拘わらず伝達部材１８の回転が連続的に変化させられる。すなわち、動力分配機構１６が差動状態とされると差動部１１も差動状態とされ、第１電動機Ｍ１の運転状態が制御されることにより動力分配機構１６の差動状態が制御され、差動部１１はその変速比γ０（入力軸１４の回転速度／伝達部材１８の回転速度）が最小値γ０minから最大値γ０maxまで連続的に変化させられる電気的な無段変速機として機能する無段変速状態とされる。
【００３５】
この状態で、上記切換クラッチＣ０或いは切換ブレーキＢ０が係合させられると動力分配機構１６は前記差動作用をしないすなわち差動作用が不能な非差動状態とされる。具体的には、上記切換クラッチＣ０が係合させられて差動部サンギヤＳ０と差動部キャリヤＣＡ０とが一体的に係合させられると、動力分配機構１６は差動部遊星歯車装置２４の３要素である差動部サンギヤＳ０、差動部キャリヤＣＡ０、差動部リングギヤＲ０が共に回転すなわち一体回転させられるロック状態とされて前記差動作用が不能な非差動状態とされることから、差動部１１も非差動状態とされる。また、エンジン８の回転と伝達部材１８の回転速度とが一致する状態となるので、差動部１１（動力分配機構１６）は変速比γ０が「１」に固定された変速機として機能する定変速状態すなわち有段変速状態とされる。次いで、上記切換クラッチＣ０に替えて切換ブレーキＢ０が係合させられて差動部サンギヤＳ０がケース１２に連結させられると、動力分配機構１６は差動部サンギヤＳ０が非回転状態とさせられるロック状態とされて前記差動作用が不能な非差動状態とされることから、差動部１１も非差動状態とされる。また、差動部リングギヤＲ０は差動部キャリヤＣＡ０よりも増速回転されるので、動力分配機構１６は増速機構として機能するものであり、差動部１１（動力分配機構１６）は変速比γ０が「１」より小さい値例えば０．７程度に固定された増速変速機として機能する定変速状態すなわち有段変速状態とされる。
【００３６】
このように、本実施例では、上記切換クラッチＣ０および切換ブレーキＢ０は、差動部１１（動力分配機構１６）の変速状態を差動状態すなわち非ロック状態と非差動状態すなわちロック状態とに、すなわち差動部１１（動力分配機構１６）を電気的な差動装置として作動可能な差動状態例えば変速比が連続的変化可能な無段変速機として作動する電気的な無段変速作動可能な無段変速状態と、電気的な無段変速作動しない変速状態例えば無段変速機として作動させず無段変速作動を非作動として変速比変化を一定にロックするロック状態すなわち１または２種類以上の変速比の単段または複数段の変速機として作動する電気的な無段変速作動をしないすなわち電気的な無段変速作動不能な定変速状態（非差動状態）、換言すれば変速比が一定の１段または複数段の変速機として作動する定変速状態とに選択的に切換える差動状態切換装置として機能している。
【００３７】
本発明の変速部に対応する自動変速部２０は、その変速比（＝伝達部材１８の回転速度Ｎ18／出力回転部材２２の回転速度ＮOUT）を段階的に変化させることができる有段変速機であって自動的に変速作動可能な自動変速機として機能する変速部であり、シングルピニオン型の第１遊星歯車装置２６、シングルピニオン型の第２遊星歯車装置２８、およびシングルピニオン型の第３遊星歯車装置３０を備えている。第１遊星歯車装置２６は、第１サンギヤＳ１、第１遊星歯車Ｐ１、その第１遊星歯車Ｐ１を自転および公転可能に支持する第１キャリヤＣＡ１、第１遊星歯車Ｐ１を介して第１サンギヤＳ１と噛み合う第１リングギヤＲ１を備えており、例えば「０．５６２」程度の所定のギヤ比ρ１を有している。第２遊星歯車装置２８は、第２サンギヤＳ２、第２遊星歯車Ｐ２、その第２遊星歯車Ｐ２を自転および公転可能に支持する第２キャリヤＣＡ２、第２遊星歯車Ｐ２を介して第２サンギヤＳ２と噛み合う第２リングギヤＲ２を備えており、例えば「０．４２５」程度の所定のギヤ比ρ２を有している。第３遊星歯車装置３０は、第３サンギヤＳ３、第３遊星歯車Ｐ３、その第３遊星歯車Ｐ３を自転および公転可能に支持する第３キャリヤＣＡ３、第３遊星歯車Ｐ３を介して第３サンギヤＳ３と噛み合う第３リングギヤＲ３を備えており、例えば「０．４２１」程度の所定のギヤ比ρ３を有している。第１サンギヤＳ１の歯数をＺＳ１、第１リングギヤＲ１の歯数をＺＲ１、第２サンギヤＳ２の歯数をＺＳ２、第２リングギヤＲ２の歯数をＺＲ２、第３サンギヤＳ３の歯数をＺＳ３、第３リングギヤＲ３の歯数をＺＲ３とすると、上記ギヤ比ρ１はＺＳ１／ＺＲ１、上記ギヤ比ρ２はＺＳ２／ＺＲ２、上記ギヤ比ρ３はＺＳ３／ＺＲ３である。
【００３８】
自動変速部２０では、第１サンギヤＳ１と第２サンギヤＳ２とが一体的に連結されて第２クラッチＣ２を介して伝達部材１８に選択的に連結されるとともに第１ブレーキＢ１を介してケース１２に選択的に連結され、第１キャリヤＣＡ１は第２ブレーキＢ２を介してケース１２に選択的に連結され、第３リングギヤＲ３は第３ブレーキＢ３を介してケース１２に選択的に連結され、第１リングギヤＲ１と第２キャリヤＣＡ２と第３キャリヤＣＡ３とが一体的に連結されて出力回転部材２２に連結され、第２リングギヤＲ２と第３サンギヤＳ３とが一体的に連結されて第１クラッチＣ１を介して伝達部材１８に選択的に連結されている。このように、自動変速部２０と伝達部材１８とは自動変速部２０の変速段を成立させるために用いられる第１クラッチＣ１または第２クラッチＣ２を介して選択的に連結されている。言い換えれば、第１クラッチＣ１および第２クラッチＣ２は、伝達部材１８と自動変速部２０との間すなわち差動部１１（伝達部材１８）と駆動輪３８との間の動力伝達経路を、その動力伝達経路の動力伝達を可能とする動力伝達可能状態と、その動力伝達経路の動力伝達を遮断する動力伝達遮断状態とに選択的に切り換える係合装置として機能している。つまり、第１クラッチＣ１および第２クラッチＣ２の少なくとも一方が係合されることで上記動力伝達経路が動力伝達可能状態とされ、或いは第１クラッチＣ１および第２クラッチＣ２が解放されることで上記動力伝達経路が動力伝達遮断状態とされる。
【００３９】
前記切換クラッチＣ０、第１クラッチＣ１、第２クラッチＣ２、切換ブレーキＢ０、第１ブレーキＢ１、第２ブレーキＢ２、および第３ブレーキＢ３は従来の車両用有段式自動変速機においてよく用いられている油圧式摩擦係合装置であって、互いに重ねられた複数枚の摩擦板が油圧アクチュエータにより押圧される湿式多板型や、回転するドラムの外周面に巻き付けられた１本または２本のバンドの一端が油圧アクチュエータによって引き締められるバンドブレーキなどにより構成され、それが介装されている両側の部材を選択的に連結するためのものである。
【００４０】
以上のように構成された変速機構１０では、例えば、図２の係合作動表に示されるように、前記切換クラッチＣ０、第１クラッチＣ１、第２クラッチＣ２、切換ブレーキＢ０、第１ブレーキＢ１、第２ブレーキＢ２、および第３ブレーキＢ３が選択的に係合作動させられることにより、第１速ギヤ段（第１変速段）乃至第５速ギヤ段（第５変速段）のいずれか或いは後進ギヤ段（後進変速段）或いはニュートラルが選択的に成立させられ、略等比的に変化する変速比γ（＝入力軸回転速度ＮIN／出力回転部材回転速度ＮOUT）が各ギヤ段毎に得られるようになっている。特に、本実施例では動力分配機構１６に切換クラッチＣ０および切換ブレーキＢ０が備えられており、切換クラッチＣ０および切換ブレーキＢ０の何れかが係合作動させられることによって、差動部１１は前述した無段変速機として作動する無段変速状態に加え、変速比が一定の変速機として作動する定変速状態を構成することが可能とされている。したがって、変速機構１０では、切換クラッチＣ０および切換ブレーキＢ０の何れかを係合作動させることで定変速状態とされた差動部１１と自動変速部２０とで有段変速機として作動する有段変速状態が構成され、切換クラッチＣ０および切換ブレーキＢ０の何れも係合作動させないことで無段変速状態とされた差動部１１と自動変速部２０とで電気的な無段変速機として作動する無段変速状態が構成される。言い換えれば、変速機構１０は、切換クラッチＣ０および切換ブレーキＢ０の何れかを係合作動させることで有段変速状態に切り換えられ、切換クラッチＣ０および切換ブレーキＢ０の何れも係合作動させないことで無段変速状態に切り換えられる。また、差動部１１も有段変速状態と無段変速状態とに切り換え可能な変速機であると言える。
【００４１】
例えば、変速機構１０が有段変速機として機能する場合には、図２に示すように、切換クラッチＣ０、第１クラッチＣ１および第３ブレーキＢ３の係合により、変速比γ１が最大値例えば「３．３５７」程度である第１速ギヤ段が成立させられ、切換クラッチＣ０、第１クラッチＣ１および第２ブレーキＢ２の係合により、変速比γ２が第１速ギヤ段よりも小さい値例えば「２．１８０」程度である第２速ギヤ段が成立させられ、切換クラッチＣ０、第１クラッチＣ１および第１ブレーキＢ１の係合により、変速比γ３が第２速ギヤ段よりも小さい値例えば「１．４２４」程度である第３速ギヤ段が成立させられ、切換クラッチＣ０、第１クラッチＣ１および第２クラッチＣ２の係合により、変速比γ４が第３速ギヤ段よりも小さい値例えば「１．０００」程度である第４速ギヤ段が成立させられ、第１クラッチＣ１、第２クラッチＣ２、および切換ブレーキＢ０の係合により、変速比γ５が第４速ギヤ段よりも小さい値例えば「０．７０５」程度である第５速ギヤ段が成立させられる。また、第２クラッチＣ２および第３ブレーキＢ３の係合により、変速比γＲが第１速ギヤ段と第２速ギヤ段との間の値例えば「３．２０９」程度である後進ギヤ段が成立させられる。なお、ニュートラル「Ｎ」状態とする場合には、例えば全てのクラッチ及びブレーキＣ０，Ｃ１，Ｃ２，Ｂ０，Ｂ１，Ｂ２，Ｂ３が解放される。
【００４２】
しかし、変速機構１０が無段変速機として機能する場合には、図２に示される係合表の切換クラッチＣ０および切換ブレーキＢ０が共に解放される。これにより、差動部１１が無段変速機として機能し、それに直列の自動変速部２０が有段変速機として機能することにより、自動変速部２０の第１速、第２速、第３速、第４速の各ギヤ段に対しその自動変速部２０に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構１０全体としてのトータル変速比（総合変速比）γＴが無段階に得られるようになる。
【００４３】
図３は、無段変速部或いは第１変速部として機能する差動部１１と有段変速部或いは第２変速部として機能する自動変速部２０とから構成される変速機構１０において、ギヤ段毎に連結状態が異なる各回転要素の回転速度の相対関係を直線上で表すことができる共線図を示している。この図３の共線図は、各遊星歯車装置２４、２６、２８、３０のギヤ比ρの関係を示す横軸と、相対的回転速度を示す縦軸とから成る二次元座標であり、３本の横線のうちの下側の横線Ｘ１が回転速度零を示し、上側の横線Ｘ２が回転速度「１．０」すなわち入力軸１４に連結されたエンジン８の回転速度ＮEを示し、横線ＸＧが伝達部材１８の回転速度を示している。
【００４４】
また、差動部１１を構成する動力分配機構１６の３つの要素に対応する３本の縦線Ｙ１、Ｙ２、Ｙ３は、左側から順に第２回転要素（第２要素）ＲＥ２に対応する差動部サンギヤＳ０、第１回転要素（第１要素）ＲＥ１に対応する差動部キャリヤＣＡ０、第３回転要素（第３要素）ＲＥ３に対応する差動部リングギヤＲ０の相対回転速度を示すものであり、それらの間隔は差動部遊星歯車装置２４のギヤ比ρ０に応じて定められている。さらに、自動変速部２０の５本の縦線Ｙ４、Ｙ５、Ｙ６、Ｙ７、Ｙ８は、左から順に、第４回転要素（第４要素）ＲＥ４に対応し且つ相互に連結された第１サンギヤＳ１および第２サンギヤＳ２を、第５回転要素（第５要素）ＲＥ５に対応する第１キャリヤＣＡ１を、第６回転要素（第６要素）ＲＥ６に対応する第３リングギヤＲ３を、第７回転要素（第７要素）ＲＥ７に対応し且つ相互に連結された第１リングギヤＲ１、第２キャリヤＣＡ２、第３キャリヤＣＡ３を、第８回転要素（第８要素）ＲＥ８に対応し且つ相互に連結された第２リングギヤＲ２、第３サンギヤＳ３をそれぞれ表し、それらの間隔は第１、第２、第３遊星歯車装置２６、２８、３０のギヤ比ρ１、ρ２、ρ３に応じてそれぞれ定められている。共線図の縦軸間の関係においてサンギヤとキャリヤとの間が「１」に対応する間隔とされるとキャリヤとリングギヤとの間が遊星歯車装置のギヤ比ρに対応する間隔とされる。すなわち、差動部１１では縦線Ｙ１とＹ２との縦線間が「１」に対応する間隔に設定され、縦線Ｙ２とＹ３との間隔はギヤ比ρ０に対応する間隔に設定される。また、自動変速部２０では各第１、第２、第３遊星歯車装置２６、２８、３０毎にそのサンギヤとキャリヤとの間が「１」に対応する間隔に設定され、キャリヤとリングギヤとの間がρに対応する間隔に設定される。
【００４５】
上記図３の共線図を用いて表現すれば、本実施例の変速機構１０は、動力分配機構１６（差動部１１）において、差動部遊星歯車装置２４の第１回転要素ＲＥ１（差動部キャリヤＣＡ０）が入力軸１４すなわちエンジン８に連結されるとともに切換クラッチＣ０を介して第２回転要素（差動部サンギヤＳ０）ＲＥ２と選択的に連結され、第２回転要素ＲＥ２が第１電動機Ｍ１に連結されるとともに切換ブレーキＢ０を介してケース１２に選択的に連結され、第３回転要素（差動部リングギヤＲ０）ＲＥ３が伝達部材１８および第２電動機Ｍ２に連結されて、入力軸１４の回転を伝達部材１８を介して自動変速部（有段変速部）２０へ伝達する（入力させる）ように構成されている。このとき、Ｙ２とＸ２の交点を通る斜めの直線Ｌ０により差動部サンギヤＳ０の回転速度と差動部リングギヤＲ０の回転速度との関係が示される。
【００４６】
例えば、上記切換クラッチＣ０および切換ブレーキＢ０の解放により無段変速状態（差動状態）に切換えられたときは、第１電動機Ｍ１の回転速度を制御することによって直線Ｌ０と縦線Ｙ１との交点で示される差動部サンギヤＳ０の回転が上昇或いは下降させられると、車速Ｖに拘束される差動部リングギヤＲ０の回転速度が略一定である場合には、直線Ｌ０と縦線Ｙ２との交点で示される差動部キャリヤＣＡ０の回転速度が上昇或いは下降させられる。また、切換クラッチＣ０の係合により差動部サンギヤＳ０と差動部キャリヤＣＡ０とが連結されると、動力分配機構１６は上記３回転要素が一体回転する非差動状態とされるので、直線Ｌ０は横線Ｘ２と一致させられ、エンジン回転速度ＮEと同じ回転で伝達部材１８が回転させられる。或いは、切換ブレーキＢ０の係合によって差動部サンギヤＳ０の回転が停止させられると動力分配機構１６は増速機構として機能する非差動状態とされるので、直線Ｌ０は図３に示す状態となり、その直線Ｌ０と縦線Ｙ３との交点で示される差動部リングギヤＲ０すなわち伝達部材１８の回転速度は、エンジン回転速度ＮEよりも増速された回転で自動変速部２０へ入力される。
【００４７】
また、自動変速部２０において第４回転要素ＲＥ４は第２クラッチＣ２を介して伝達部材１８に選択的に連結されるとともに第１ブレーキＢ１を介してケース１２に選択的に連結され、第５回転要素ＲＥ５は第２ブレーキＢ２を介してケース１２に選択的に連結され、第６回転要素ＲＥ６は第３ブレーキＢ３を介してケース１２に選択的に連結され、第７回転要素ＲＥ７は出力回転部材２２に連結され、第８回転要素ＲＥ８は第１クラッチＣ１を介して伝達部材１８に選択的に連結されている。
【００４８】
自動変速部２０では、図３に示すように、第１クラッチＣ１と第３ブレーキＢ３とが係合させられることにより、第８回転要素ＲＥ８の回転速度を示す縦線Ｙ８と横線Ｘ２との交点と第６回転要素ＲＥ６の回転速度を示す縦線Ｙ６と横線Ｘ１との交点とを通る斜めの直線ＬＦ１と、出力回転部材２２と連結された第７回転要素ＲＥ７の回転速度を示す縦線Ｙ７との交点で第１速の出力回転部材２２の回転速度が示される。同様に、第１クラッチＣ１と第２ブレーキＢ２とが係合させられることにより決まる斜めの直線ＬＦ２と出力回転部材２２と連結された第７回転要素ＲＥ７の回転速度を示す縦線Ｙ７との交点で第２速の出力回転部材２２の回転速度が示され、第１クラッチＣ１と第１ブレーキＢ１とが係合させられることにより決まる斜めの直線ＬＦ３と出力回転部材２２と連結された第７回転要素ＲＥ７の回転速度を示す縦線Ｙ７との交点で第３速の出力回転部材２２の回転速度が示され、第１クラッチＣ１と第２クラッチＣ２とが係合させられることにより決まる水平な直線ＬＦ４と出力回転部材２２と連結された第７回転要素ＲＥ７の回転速度を示す縦線Ｙ７との交点で第４速の出力回転部材２２の回転速度が示される。上記第１速乃至第４速では、切換クラッチＣ０が係合させられている結果、エンジン回転速度ＮEと同じ回転速度で第８回転要素ＲＥ８に差動部１１すなわち動力分配機構１６からの動力が入力される。しかし、切換クラッチＣ０に替えて切換ブレーキＢ０が係合させられると、差動部１１からの動力がエンジン回転速度ＮEよりも高い回転速度で入力されることから、第１クラッチＣ１、第２クラッチＣ２、および切換ブレーキＢ０が係合させられることにより決まる水平な直線ＬＦ５と出力回転部材２２と連結された第７回転要素ＲＥ７の回転速度を示す縦線Ｙ７との交点で第５速の出力回転部材２２の回転速度が示される。
【００４９】
図４は、本発明に係るハイブリッド車両用駆動装置の一部を構成する変速機構１０を制御するための制御装置である電子制御装置４０に入力される信号及びその電子制御装置４０から出力される信号を例示している。この電子制御装置４０は、ＣＰＵ、ＲＯＭ、ＲＡＭ、及び入出力インターフェースなどから成る所謂マイクロコンピュータを含んで構成されており、ＲＡＭの一時記憶機能を利用しつつＲＯＭに予め記憶されたプログラムに従って信号処理を行うことによりエンジン８、第１電動機Ｍ１、第２電動機Ｍ２に関するハイブリッド駆動制御、自動変速部２０の変速制御等の駆動制御を実行するものである。
【００５０】
電子制御装置４０には、図４に示す各センサやスイッチなどから、エンジン水温ＴＥＭＰWを示す信号、シフトポジションＰSHを表す信号、モータ走行（ＥＶ走行）を指令する信号、第１電動機Ｍ１の回転速度ＮM1（以下、「第１電動機回転速度ＮM1」という）を表す信号、レゾルバなどの回転速度センサ４４（図１）により検出される第２電動機Ｍ２の回転速度ＮM2（以下、「第２電動機回転速度ＮM2」という）及びその回転方向を表す信号、エンジン８の回転速度であるエンジン回転速度ＮEを表す信号、ギヤ比列設定値を示す信号、Ｍモード（手動変速走行モード）を指令する信号、エアコンの作動を示すエアコン信号、車速センサ４６（図１）により検出される出力回転部材２２の回転速度ＮOUTに対応する車速Ｖ及び車両の進行方向を表す信号、自動変速部２０の作動油温を示す油温信号、サイドブレーキ操作を示す信号、フットブレーキ操作を示す信号、触媒温度を示す触媒温度信号、運転者の出力要求量に対応するアクセルペダルの操作量Ａccを示すアクセル開度信号、カム角信号、スノーモード設定を示すスノーモード設定信号、車両の前後加速度を示す加速度信号、オートクルーズ走行を示すオートクルーズ信号、車両の重量を示す車重信号、各車輪の車輪速を示す車輪速信号、エンジン８の空燃比Ａ／Ｆを示す信号などが、それぞれ供給される。なお、上記回転速度センサ４４及び車速センサ４６は回転速度だけでなく回転方向をも検出できるセンサであり、車両走行中に自動変速部２０が中立ポジションである場合には車速センサ４６によって車両の進行方向が検出される。
【００５１】
また、上記電子制御装置４０からは、エンジン出力を制御するエンジン出力制御装置４３（図６参照）への制御信号例えばエンジン８の吸気管９５に備えられた電子スロットル弁９６の開度θTHを操作するスロットルアクチュエータ９７への駆動信号や燃料噴射装置９８によるエンジン８の各気筒内への燃料供給量を制御する燃料供給量信号や点火装置９９によるエンジン８の点火時期を指令する点火信号、過給圧を調整するための過給圧調整信号、電動エアコンを作動させるための電動エアコン駆動信号、電動機Ｍ１およびＭ２の作動を指令する指令信号、シフトインジケータを作動させるためのシフトポジション（操作位置）表示信号、ギヤ比を表示させるためのギヤ比表示信号、スノーモードであることを表示させるためのスノーモード表示信号、制動時の車輪のスリップを防止するＡＢＳアクチュエータを作動させるためのＡＢＳ作動信号、Ｍモードが選択されていることを表示させるＭモード表示信号、差動部１１や自動変速部２０の油圧式摩擦係合装置の油圧アクチュエータを制御するために油圧制御回路４２（図６参照）に含まれる電磁弁を作動させるバルブ指令信号、この油圧制御回路４２の油圧源である電動油圧ポンプを作動させるための駆動指令信号、電動ヒータを駆動するための信号、クルーズコントロール制御用コンピュータへの信号等が、それぞれ出力される。
【００５２】
図５は複数種類のシフトポジションＰSHを人為的操作により切り換える切換装置としてのシフト操作装置４８の一例を示す図である。このシフト操作装置４８は、例えば運転席の横に配設され、複数種類のシフトポジションＰSHを選択するために操作されるシフトレバー４９を備えている。
【００５３】
そのシフトレバー４９は、変速機構１０内つまり自動変速部２０内の動力伝達経路が遮断されたニュートラル状態すなわち中立状態とし且つ自動変速部２０の出力回転部材２２をロックするための駐車ポジション「Ｐ（パーキング）」、後進走行のための後進走行ポジション「Ｒ（リバース）」、変速機構１０内の動力伝達経路が遮断された中立状態とするための中立ポジション「Ｎ（ニュートラル）」、変速機構１０の変速可能なトータル変速比γＴの変化範囲内で自動変速制御を実行させる前進自動変速走行ポジション「Ｄ（ドライブ）」、または手動変速走行モード（手動モード）を成立させて上記自動変速制御における高速側の変速段を制限する所謂変速レンジを設定するための前進手動変速走行ポジション「Ｍ（マニュアル）」へ手動操作されるように設けられている。
【００５４】
上記シフトレバー４９の各シフトポジションＰSHへの手動操作に連動して図２の係合作動表に示す後進ギヤ段「Ｒ」、ニュートラル「Ｎ」、前進ギヤ段「Ｄ」における各変速段等が成立するように、例えば油圧制御回路４２が電気的に切り換えられる。
【００５５】
上記「Ｐ」乃至「Ｍ」ポジションに示す各シフトポジションＰSHにおいて、「Ｐ」ポジションおよび「Ｎ」ポジションは、車両を走行させないときに選択される非走行ポジションであって、例えば図２の係合作動表に示されるように第１クラッチＣ１および第２クラッチＣ２のいずれもが解放されるような自動変速部２０内の動力伝達経路が遮断された車両を駆動不能とする第１クラッチＣ１および第２クラッチＣ２による動力伝達経路の動力伝達遮断状態へ切換えを選択するための非駆動ポジションである。また、「Ｒ」ポジション、「Ｄ」ポジションおよび「Ｍ」ポジションは、車両を走行させるときに選択される走行ポジションであって、例えば図２の係合作動表に示されるように第１クラッチＣ１および第２クラッチＣ２の少なくとも一方が係合されるような自動変速部２０内の動力伝達経路が連結された車両を駆動可能とする第１クラッチＣ１および／または第２クラッチＣ２による動力伝達経路の動力伝達可能状態への切換えを選択するための駆動ポジションでもある。
【００５６】
具体的には、シフトレバー４９が「Ｐ」ポジション或いは「Ｎ」ポジションから「Ｒ」ポジションへ手動操作されることで、第２クラッチＣ２が係合されて自動変速部２０内の動力伝達経路が動力伝達遮断状態から動力伝達可能状態とされ、シフトレバー４９が「Ｎ」ポジションから「Ｄ」ポジションへ手動操作されることで、少なくとも第１クラッチＣ１が係合されて自動変速部２０内の動力伝達経路が動力伝達遮断状態から動力伝達可能状態とされる。また、シフトレバー４９が「Ｒ」ポジションから「Ｐ」ポジション或いは「Ｎ」ポジションへ手動操作されることで、第２クラッチＣ２が解放されて自動変速部２０内の動力伝達経路が動力伝達可能状態から動力伝達遮断状態とされ、シフトレバー４９が「Ｄ」ポジションから「Ｎ」ポジションへ手動操作されることで、第１クラッチＣ１および第２クラッチＣ２が解放されて自動変速部２０内の動力伝達経路が動力伝達可能状態から動力伝達遮断状態とされる。
【００５７】
図６は、電子制御装置４０による制御機能の要部を説明する機能ブロック線図である。図６において、有段変速制御手段５４は、自動変速部２０の変速を行う変速制御手段として機能するものである。例えば、有段変速制御手段５４は、記憶手段５６に予め記憶された図７の実線および一点鎖線に示す関係（変速線図、変速マップ）から車速Ｖおよび自動変速部２０の要求出力トルクＴOUTで示される車両状態に基づいて、自動変速部２０の変速を実行すべきか否かを判断し、すなわち自動変速部２０の変速すべき変速段を判断し、その判断した変速段が得られるように自動変速部２０の変速を実行する。このとき、有段変速制御手段５４は、例えば図２に示す係合表に従って変速段が達成されるように切換クラッチＣ０および切換ブレーキＢ０を除いた油圧式摩擦係合装置を係合および／または解放させる指令（変速出力指令）を油圧制御回路４２へ出力する。
【００５８】
ハイブリッド制御手段５２は、変速機構１０の前記無段変速状態すなわち差動部１１の差動状態においてエンジン８を効率のよい作動域で作動させる一方で、エンジン８と第２電動機Ｍ２との駆動力の配分や第１電動機Ｍ１の発電による反力を最適になるように変化させて差動部１１の電気的な無段変速機としての変速比γ０を制御する。例えば、そのときの走行車速において、運転者の出力要求量としてのアクセルペダル操作量Ａccや車速Ｖから車両の目標（要求）出力を算出し、車両の目標出力と充電要求値から必要なトータル目標出力を算出し、そのトータル目標出力が得られるように伝達損失、補機負荷、第２電動機Ｍ２のアシストトルク等を考慮して目標エンジン出力を算出し、その目標エンジン出力が得られるエンジン回転速度ＮEとエンジントルクＴEとなるようにエンジン８を制御するとともに第１電動機Ｍ１の発電量を制御する。
【００５９】
ハイブリッド制御手段５２は、その制御を動力性能や燃費向上などのために自動変速部２０の変速段を考慮して実行する。このようなハイブリッド制御では、エンジン８を効率のよい作動域で作動させるために定まるエンジン回転速度ＮEと車速Ｖおよび自動変速部２０の変速段で定まる伝達部材１８の回転速度とを整合させるために、差動部１１が電気的な無段変速機として機能させられる。すなわち、ハイブリッド制御手段５２は例えばエンジン回転速度ＮEとエンジン８の出力トルク（エンジントルク）ＴEとをパラメータとする二次元座標内において無段変速走行の時に運転性と燃費性とを両立するように予め実験的に定められたエンジン８の最適燃費率曲線（燃費マップ、関係）を予め記憶しており、その最適燃費率曲線に沿ってエンジン８が作動させられるように、例えば目標出力（トータル目標出力、要求駆動力）を充足するために必要なエンジン出力を発生するためのエンジントルクＴEとエンジン回転速度ＮEとなるように変速機構１０のトータル変速比γＴの目標値を定め、その目標値が得られるように差動部１１の変速比γ０を制御し、トータル変速比γＴをその変速可能な変化範囲内例えば１３〜０．５の範囲内で制御する。
【００６０】
このとき、ハイブリッド制御手段５２は、第１電動機Ｍ１により発電された電気エネルギをインバータ５８を通して蓄電装置６０や第２電動機Ｍ２へ供給するので、エンジン８の動力の主要部は機械的に伝達部材１８へ伝達されるが、エンジン８の動力の一部は第１電動機Ｍ１の発電のために消費されてそこで電気エネルギに変換され、インバータ５８を通してその電気エネルギが第２電動機Ｍ２へ供給され、その第２電動機Ｍ２が駆動されて第２電動機Ｍ２から伝達部材１８へ伝達される。この電気エネルギの発生から第２電動機Ｍ２で消費されるまでに関連する機器により、エンジン８の動力の一部を電気エネルギに変換し、その電気エネルギを機械的エネルギに変換するまでの電気パスが構成される。
【００６１】
ハイブリッド制御手段５２は、スロットル制御のためにスロットルアクチュエータ９７により電子スロットル弁９６を開閉制御させる他、燃料噴射制御のために燃料噴射装置９８による燃料噴射量や噴射時期を制御させ、点火時期制御のためにイグナイタ等の点火装置９９による点火時期を制御させる指令を単独で或いは組み合わせてエンジン出力制御装置４３に出力して必要なエンジン出力を発生するようにエンジン８の出力制御を実行するエンジン出力制御手段を機能的に備えている。例えば、ハイブリッド制御手段５２は、基本的には図示しない予め記憶された関係からアクセル開度信号Ａccに基づいてスロットルアクチュエータ９７を駆動し、アクセル開度Ａccが増加するほどスロットル弁開度θTHを増加させるようにスロットル制御を実行する。
【００６２】
前記図７の実線Ａは、車両の発進／走行用（以下、走行用という）の駆動力源をエンジン８と電動機例えば第２電動機Ｍ２とで切り換えるための、言い換えればエンジン８を走行用の駆動力源として車両を発進／走行（以下、走行という）させる所謂エンジン走行と第２電動機Ｍ２を走行用の駆動力源として車両を走行させる所謂モータ走行とを切り換えるための、エンジン走行領域とモータ走行領域との境界線である。この図７に示すエンジン走行とモータ走行とを切り換えるための境界線（実線Ａ）を有する予め記憶された関係は、車速Ｖと駆動力関連値である出力トルクＴOUTとをパラメータとする二次元座標で構成された駆動力源切換線図（駆動力源マップ）の一例である。この駆動力源切換線図は、例えば同じ図７中の実線および一点鎖線に示す変速線図（変速マップ）と共に記憶手段５６に予め記憶されている。
【００６３】
そして、ハイブリッド制御手段５２は、例えば図７の駆動力源切換線図から車速Ｖと要求出力トルクＴOUTとで示される車両状態に基づいてモータ走行領域とエンジン走行領域との何れであるかを判断してモータ走行或いはエンジン走行を実行する。このように、ハイブリッド制御手段５２によるモータ走行は、図７から明らかなように一般的にエンジン効率が高トルク域に比較して悪いとされる比較的低出力トルクＴOUT時すなわち低エンジントルクＴE時、或いは車速Ｖの比較的低車速時すなわち低負荷域で実行される。
【００６４】
ハイブリッド制御手段５２は、このモータ走行時には、停止しているエンジン８の引き摺りを抑制して燃費を向上させるために、差動部１１の電気的ＣＶＴ機能（差動作用）によって、第１電動機回転速度ＮM1を負の回転速度で制御例えば空転させて、差動部１１の差動作用によりエンジン回転速度ＮEを零乃至略零に維持する。
【００６５】
ハイブリッド制御手段５２は、エンジン走行とモータ走行とを切り換えるために、エンジン８の作動状態を運転状態と停止状態との間で切り換える、すなわちエンジン８の始動および停止を行うエンジン始動停止制御手段６６を備えている。このエンジン始動停止制御手段６６は、ハイブリッド制御手段５２により例えば図７の駆動力源切換線図から車両状態に基づいてモータ走行とエンジン走行と切換えが判断された場合に、エンジン８の始動または停止を実行する。
【００６６】
例えば、エンジン始動停止制御手段６６は、図７の実線Ｂの点ａ→点ｂに示すように、アクセルペダルが踏込操作されて要求出力トルクＴOUTが大きくなり車両状態がモータ走行領域からエンジン走行領域へ変化した場合には、第１電動機Ｍ１に通電して第１電動機回転速度ＮM1を引き上げることで、すなわち第１電動機Ｍ１をスタータとして機能させることで、エンジン回転速度ＮEを引き上げ、所定のエンジン回転速度ＮE’例えば自律回転可能なエンジン回転速度ＮEで点火装置９９により点火させるようにエンジン８の始動を行って、ハイブリッド制御手段５２によるモータ走行からエンジン走行へ切り換える。このとき、エンジン始動停止制御手段６６は、第１電動機回転速度ＮM1を速やかに引き上げることでエンジン回転速度ＮEを速やかに所定のエンジン回転速度ＮE’まで引き上げてもよい。これにより、良く知られたアイドル回転速度ＮEIDL以下のエンジン回転速度領域における共振領域を速やかに回避できて始動時の振動が抑制される。
【００６７】
また、エンジン始動停止制御手段６６は、図７の実線Ｂの点ｂ→点ａに示すように、アクセルペダルが戻されて要求出力トルクＴOUTが小さくなり車両状態がエンジン走行領域からモータ走行領域へ変化した場合には、燃料噴射装置９８により燃料供給を停止させるように、すなわちフューエルカットによりエンジン８の停止を行って、ハイブリッド制御手段５２によるエンジン走行からモータ走行へ切り換える。このとき、エンジン始動停止制御手段６６は、第１電動機回転速度ＮM1を速やかに引き下げることでエンジン回転速度ＮEを速やかに零乃至略零まで引き下げてもよい。これにより、上記共振領域を速やかに回避できて停止時の振動が抑制される。或いは、エンジン始動停止制御手段６６は、フューエルカットより先に、第１電動機回転速度ＮM1を引き下げてエンジン回転速度ＮEを引き下げ、所定のエンジン回転速度ＮE’でフューエルカットするようにエンジン８の停止を行ってもよい。
【００６８】
また、ハイブリッド制御手段５２は、エンジン走行領域であっても、上述した電気パスによる第１電動機Ｍ１からの電気エネルギおよび／または蓄電装置６０からの電気エネルギを第２電動機Ｍ２へ供給し、その第２電動機Ｍ２を駆動してエンジン８の動力を補助するトルクアシストが可能である。よって、本実施例のエンジン走行には、エンジン走行＋モータ走行も含むものとする。
【００６９】
また、ハイブリッド制御手段５２は、車両の停止状態又は低車速状態に拘わらず、差動部１１の電気的ＣＶＴ機能によってエンジン８の運転状態を維持させることができる。例えば、車両停止時に蓄電装置６０の充電容量ＳＯＣが低下して第１電動機Ｍ１による発電が必要となった場合には、エンジン８の動力により第１電動機Ｍ１が発電させられてその第１電動機Ｍ１の回転速度が引き上げられ、車速Ｖで一意的に決められる第２電動機回転速度ＮM2が車両停止状態により零（略零）となっても動力分配機構１６の差動作用によってエンジン回転速度ＮEが自律回転可能な回転速度以上に維持される。
【００７０】
また、ハイブリッド制御手段５２は、車両の停止中又は走行中に拘わらず、差動部１１の電気的ＣＶＴ機能によって第１電動機回転速度ＮM1および／または第２電動機回転速度ＮM2を制御してエンジン回転速度ＮEを任意の回転速度に維持させられる。例えば、図３の共線図からもわかるようにハイブリッド制御手段５２はエンジン回転速度ＮEを引き上げる場合には、車速Ｖに拘束される第２電動機回転速度ＮM2を略一定に維持しつつ第１電動機回転速度ＮM1の引き上げを実行する。
【００７１】
増速側ギヤ段判定手段６２は、変速機構１０を有段変速状態とする際に切換クラッチＣ０および切換ブレーキＢ０のいずれを係合させるかを判定するために、例えば車両状態に基づいて記憶手段５６に予め記憶された前記図７に示す変速線図に従って変速機構１０の変速されるべき変速段が増速側ギヤ段例えば第５速ギヤ段であるか否かを判定する。
【００７２】
切換制御手段５０は、車両状態に基づいて前記差動状態切換装置（切換クラッチＣ０、切換ブレーキＢ０）の係合／解放を切り換えることにより、前記無段変速状態と前記有段変速状態とを、すなわち前記差動状態と前記ロック状態とを選択的に切り換える。例えば、切換制御手段５０は、記憶手段５６に予め記憶された前記図７の破線および二点鎖線に示す関係（切換線図、切換マップ）から車速Ｖおよび要求出力トルクＴOUTで示される車両状態に基づいて、変速機構１０（差動部１１）の変速状態を切り換えるべきか否かを判断して、すなわち変速機構１０を無段変速状態とする無段制御領域内であるか或いは変速機構１０を有段変速状態とする有段制御領域内であるかを判定することにより変速機構１０の切り換えるべき変速状態を判断して、変速機構１０を前記無段変速状態と前記有段変速状態とのいずれかに選択的に切り換える変速状態の切換えを実行する。
【００７３】
具体的には、切換制御手段５０は有段変速制御領域内であると判定した場合は、ハイブリッド制御手段５２に対してハイブリッド制御或いは無段変速制御を不許可すなわち禁止とする信号を出力するとともに、有段変速制御手段５４に対しては、予め設定された有段変速時の変速を許可する。このときの有段変速制御手段５４は、記憶手段５６に予め記憶された例えば図７に示す変速線図に従って自動変速部２０の自動変速を実行する。例えば記憶手段５６に予め記憶された図２は、このときの変速において選択される油圧式摩擦係合装置すなわちＣ０、Ｃ１、Ｃ２、Ｂ０、Ｂ１、Ｂ２、Ｂ３の作動の組み合わせを示している。すなわち、変速機構１０全体すなわち差動部１１および自動変速部２０が所謂有段式自動変速機として機能し、図２に示す係合表に従って変速段が達成される。
【００７４】
例えば、増速側ギヤ段判定手段６２により第５速ギヤ段が判定される場合には、変速機構１０全体として変速比が１．０より小さな増速側ギヤ段所謂オーバードライブギヤ段が得られるために切換制御手段５０は差動部１１が固定の変速比γ０例えば変速比γ０が０．７の副変速機として機能させられるように切換クラッチＣ０を解放させ且つ切換ブレーキＢ０を係合させる指令を油圧制御回路４２へ出力する。また、増速側ギヤ段判定手段６２により第５速ギヤ段でないと判定される場合には、変速機構１０全体として変速比が１．０以上の減速側ギヤ段が得られるために切換制御手段５０は差動部１１が固定の変速比γ０例えば変速比γ０が１の副変速機として機能させられるように切換クラッチＣ０を係合させ且つ切換ブレーキＢ０を解放させる指令を油圧制御回路４２へ出力する。このように、切換制御手段５０によって変速機構１０が有段変速状態に切り換えられるとともに、その有段変速状態における２種類の変速段のいずれかとなるように選択的に切り換えられて、差動部１１が副変速機として機能させられ、それに直列の自動変速部２０が有段変速機として機能することにより、変速機構１０全体が所謂有段式自動変速機として機能させられる。
【００７５】
しかし、切換制御手段５０は、変速機構１０を無段変速状態に切り換える無段変速制御領域内であると判定した場合は、変速機構１０全体として無段変速状態が得られるために差動部１１を無段変速状態として無段変速可能とするように切換クラッチＣ０および切換ブレーキＢ０を解放させる指令を油圧制御回路４２へ出力する。同時に、ハイブリッド制御手段５２に対してハイブリッド制御を許可する信号を出力するとともに、有段変速制御手段５４には、予め設定された無段変速時の変速段に固定する信号を出力するか、或いは記憶手段５６に予め記憶された例えば図７に示す変速線図に従って自動変速部２０を自動変速することを許可する信号を出力する。この場合、有段変速制御手段５４により、図２の係合表内において切換クラッチＣ０および切換ブレーキＢ０の係合を除いた作動により自動変速が行われる。このように、切換制御手段５０により無段変速状態に切り換えられた差動部１１が無段変速機として機能し、それに直列の自動変速部２０が有段変速機として機能することにより、適切な大きさの駆動力が得られると同時に、自動変速部２０の第１速、第２速、第３速、第４速の各ギヤ段に対しその自動変速部２０に入力される回転速度すなわち伝達部材１８の回転速度が無段的に変化させられて各ギヤ段は無段的な変速比幅が得られる。したがって、その各ギヤ段の間が無段的に連続変化可能な変速比となって変速機構１０全体として無段変速状態となりトータル変速比γＴが無段階に得られるようになる。
【００７６】
ここで前記図７について詳述すると、図７は自動変速部２０の変速判断の基となる記憶手段５６に予め記憶された関係（変速線図、変速マップ）であり、車速Ｖと駆動力関連値である要求出力トルクＴOUTとをパラメータとする二次元座標で構成された変速線図の一例である。図７の実線はアップシフト線であり一点鎖線はダウンシフト線である。
【００７７】
また、図７の破線は切換制御手段５０による有段制御領域と無段制御領域との判定のための判定車速ＶXおよび判定出力トルクＴXを示している。つまり、図７の破線はハイブリッド車両の高速走行を判定するための予め設定された高速走行判定値である判定車速ＶXの連なりである高車速判定線と、ハイブリッド車両の駆動力に関連する駆動力関連値例えば自動変速部２０の出力トルクＴOUTが高出力となる高出力走行を判定するための予め設定された高出力走行判定値である判定出力トルクＴXの連なりである高出力走行判定線とを示している。さらに、図７の破線に対して二点鎖線に示すように有段制御領域と無段制御領域との判定にヒステリシスが設けられている。つまり、この図７は判定車速ＶXおよび判定出力トルクＴXを含む、車速Ｖと出力トルクＴOUTとをパラメータとして切換制御手段５０により有段制御領域と無段制御領域とのいずれであるかを領域判定するための予め記憶された切換線図（切換マップ、関係）である。なお、この切換線図を含めて変速マップとして記憶手段５６に予め記憶されてもよい。また、この切換線図は判定車速ＶXおよび判定出力トルクＴXの少なくとも１つを含むものであってもよいし、車速Ｖおよび出力トルクＴOUTの何れかをパラメータとする予め記憶された切換線であってもよい。
【００７８】
上記変速線図、切換線図、或いは駆動力源切換線図等は、マップとしてではなく実際の車速Ｖと判定車速ＶXとを比較する判定式、出力トルクＴOUTと判定出力トルクＴXとを比較する判定式等として記憶されてもよい。この場合には、切換制御手段５０は、車両状態例えば実際の車速が判定車速ＶXを越えたときに変速機構１０を有段変速状態とする。また、切換制御手段５０は、車両状態例えば自動変速部２０の出力トルクＴOUTが判定出力トルクＴXを越えたときに変速機構１０を有段変速状態とする。
【００７９】
また、差動部１１を電気的な無段変速機として作動させるための電動機等の電気系の制御機器の故障や機能低下時、例えば第１電動機Ｍ１における電気エネルギの発生からその電気エネルギが機械的エネルギに変換されるまでの電気パスに関連する機器の機能低下すなわち第１電動機Ｍ１、第２電動機Ｍ２、インバータ５８、蓄電装置６０、それらを接続する伝送路などの故障（フェイル）や、故障とか低温による機能低下が発生したような車両状態となる場合には、無段制御領域であっても車両走行を確保するために切換制御手段５０は変速機構１０を優先的に有段変速状態としてもよい。
【００８０】
前記駆動力関連値とは、車両の駆動力に１対１に対応するパラメータであって、駆動輪３８での駆動トルク或いは駆動力のみならず、例えば自動変速部２０の出力トルクＴOUT、エンジントルクＴE、車両加速度や、例えばアクセル開度或いはスロットル弁開度θTH（或いは吸入空気量、空燃比、燃料噴射量）とエンジン回転速度ＮEとに基づいて算出されるエンジントルクＴEなどの実際値や、運転者のアクセルペダル操作量或いはスロットル開度等に基づいて算出される要求（目標）エンジントルクＴE、自動変速部２０の要求（目標）出力トルクＴOUT、要求駆動力等の推定値であってもよい。また、上記駆動トルクは出力トルクＴOUT等からデフ比、駆動輪３８の半径等を考慮して算出されてもよいし、例えばトルクセンサ等によって直接検出されてもよい。上記他の各トルク等も同様である。
【００８１】
また、例えば判定車速ＶXは、高速走行において変速機構１０が無段変速状態とされるとかえって燃費が悪化するのを抑制するように、その高速走行において変速機構１０が有段変速状態とされるように設定されている。また、判定トルクＴXは、車両の高出力走行において第１電動機Ｍ１の反力トルクをエンジンの高出力域まで対応させないで第１電動機Ｍ１を小型化するために、例えば第１電動機Ｍ１からの電気エネルギの最大出力を小さくして配設可能とされた第１電動機Ｍ１の特性に応じて設定されている。
【００８２】
図８は、エンジン回転速度ＮEとエンジントルクＴEとをパラメータとして切換制御手段５０により有段制御領域と無段制御領域とのいずれであるかを領域判定するための境界線としてのエンジン出力線を有し、記憶手段５６に予め記憶された切換線図（切換マップ、関係）である。切換制御手段５０は、図７の切換線図に替えてこの図８の切換線図からエンジン回転速度ＮEとエンジントルクＴEとに基づいて、それらのエンジン回転速度ＮEとエンジントルクＴEとで表される車両状態が無段制御領域内であるか或いは有段制御領域内であるかを判定してもよい。また、この図８は図７の破線を作るための概念図でもある。言い換えれば、図７の破線は図８の関係図（マップ）に基づいて車速Ｖと出力トルクＴOUTとをパラメータとする二次元座標上に置き直された切換線でもある。
【００８３】
図７の関係に示されるように、出力トルクＴOUTが予め設定された判定出力トルクＴX以上の高トルク領域、或いは車速Ｖが予め設定された判定車速ＶX以上の高車速領域が有段制御領域として設定されているので、有段変速走行がエンジン８の比較的高トルクとなる高駆動トルク時、或いは車速の比較的高車速時において実行され、無段変速走行がエンジン８の比較的低トルクとなる低駆動トルク時、或いは車速の比較的低車速時すなわちエンジン８の常用出力域において実行されるようになっている。
【００８４】
同様に、図８の関係に示されるように、エンジントルクＴEが予め設定された所定値ＴEH以上の高トルク領域、エンジン回転速度ＮEが予め設定された所定値ＮEH以上の高回転領域、或いはそれらエンジントルクＴEおよびエンジン回転速度ＮEから算出されるエンジン出力が所定以上の高出力領域が、有段制御領域として設定されているので、有段変速走行がエンジン８の比較的高トルク、比較的高回転速度、或いは比較的高出力時において実行され、無段変速走行がエンジン８の比較的低トルク、比較的低回転速度、或いは比較的低出力時すなわちエンジン８の常用出力域において実行されるようになっている。図８における有段制御領域と無段制御領域との間の境界線は、高車速判定値の連なりである高車速判定線および高出力走行判定値の連なりである高出力走行判定線に対応している。
【００８５】
これによって、例えば、車両の低中速走行および低中出力走行では、変速機構１０が無段変速状態とされて車両の燃費性能が確保されるが、実際の車速Ｖが前記判定車速ＶXを越えるような高速走行では変速機構１０が有段の変速機として作動する有段変速状態とされ専ら機械的な動力伝達経路でエンジン８の出力が駆動輪３８へ伝達されて電気的な無段変速機として作動させる場合に発生する動力と電気エネルギとの間の変換損失が抑制されて燃費が向上する。また、出力トルクＴOUTなどの前記駆動力関連値が判定トルクＴXを越えるような高出力走行では変速機構１０が有段の変速機として作動する有段変速状態とされ専ら機械的な動力伝達経路でエンジン８の出力が駆動輪３８へ伝達されて電気的な無段変速機として作動させる領域が車両の低中速走行および低中出力走行となって、第１電動機Ｍ１が発生すべき電気的エネルギ換言すれば第１電動機Ｍ１が伝える電気的エネルギの最大値を小さくできて第１電動機Ｍ１或いはそれを含む車両の駆動装置が一層小型化される。また、他の考え方として、この高出力走行においては燃費に対する要求より運転者の駆動力に対する要求が重視されるので、無段変速状態より有段変速状態（定変速状態）に切り換えられるのである。これによって、ユーザは、例えば有段自動変速走行におけるアップシフトに伴うエンジン回転速度ＮEの変化すなわち変速に伴うリズミカルなエンジン回転速度ＮEの変化が楽しめる。
【００８６】
このように、本実施例の差動部１１（変速機構１０）は無段変速状態と有段変速状態（定変速状態）とに選択的に切換え可能であって、前記切換制御手段５０により車両状態に基づいて差動部１１の切り換えるべき変速状態が判断され、差動部１１が無段変速状態と有段変速状態とのいずれかに選択的に切り換えられる。また、本実施例では、ハイブリッド制御手段５２により車両状態に基づいてモータ走行或いはエンジン走行が実行されるが、このエンジン走行とモータ走行とを切り換えるために、エンジン始動停止制御手段６６によりエンジン８の始動または停止が行われる。
【００８７】
ここで、車両が前記モータ走行中である間は基本的に、エンジン８が静止した状態、具体的には、エンジン８の構成部品の同じ部位同士が同じ姿勢にまま互いに接触し続けエンジン８内を潤滑油が循環しない状態が継続される。そうすると、上記モータ走行中には上記車両の走行によって生じる走行振動が上記状態のエンジン８に加わりエンジン８の耐久性等に影響することが考えられる。そこで、上記モータ走行中において上記走行振動がエンジン８の耐久性等に影響することを軽減するための制御が実行される。以下に、その制御作動について説明する。
【００８８】
図６に戻り、走行状態判定手段８０は、エンジン８を停止した状態で第２電動機Ｍ２による走行を行う電動機走行、すなわち前記モータ走行による車両走行が行われているか否かを判定する。例えば、車両走行中において、図７のモータ走行領域を外れてエンジン走行領域に入る車両状態であっても上記モータ走行（ＥＶ走行）を行うことを指令するために乗員が操作するＥＶスイッチ９２がオンである場合、すなわち、ＥＶスイッチ９２の操作により上記モータ走行（ＥＶ走行）を行うことを指令する信号が出力されている場合には、走行状態判定手段８０は上記モータ走行中であると判定する。また、前記エンジン走行中である場合には上記モータ走行中であるということはないので、上記エンジン走行中である場合には走行状態判定手段８０は上記モータ走行中ではない旨の判定をする。
【００８９】
実行条件判定手段８２は、上記モータ走行での連続走行距離ＬMが所定の連続走行距離判定値Ｌ１を超えたか否かを判定する。ここで、上記モータ走行での連続走行距離ＬMは上記モータ走行での走行距離の累積でありそのモータ走行が断続的に行われてもその走行距離の累積は続き、上記エンジン走行が行われるなどしてエンジン８の出力軸であるエンジン出力軸９４が回転した場合には連続走行距離ＬMは零に戻され、その後の最初の上記モータ走行が行われた時点から上記モータ走行での走行距離の累積が開始される。そして、上記連続走行距離判定値Ｌ１は、上記モータ走行での連続走行距離ＬMがその連続走行距離判定値Ｌ１を超えるとエンジン８の耐久性維持の観点等からエンジン８の静止状態を継続させるべきではないと判断される閾値であって、実験等により求められた所定値であり、例えば２０ｋｍとして予め実行条件判定手段８２に記憶されている。
【００９０】
更に実行条件判定手段８２は、上記モータ走行での連続走行時間ＴMが所定の連続走行時間判定値Ｔ１を超えたか否かを判定する。ここで、上記モータ走行での連続走行時間ＴMは上記モータ走行での走行時間の累積でありそのモータ走行が断続的に行われてもその走行時間の累積は続き、上記エンジン走行が行われるなどしてエンジン８の出力軸であるエンジン出力軸９４が回転した場合には連続走行時間ＴMは零に戻され、その後の最初の上記モータ走行が行われた時点から上記モータ走行での走行時間の累積が開始される。そして、上記連続走行時間判定値Ｔ１は、上記モータ走行での連続走行時間ＴMがその連続走行時間判定値Ｔ１を超えるとエンジン８の耐久性維持の観点等からエンジン８の静止状態を継続させるべきではないと判断される閾値であって、実験等により求められた所定値であり、例えば１．５時間として予め実行条件判定手段８２に記憶されている。
【００９１】
更に実行条件判定手段８２は、車速Ｖが所定の車速判定値Ｖ１を超えたか否かを判定する。一般に、車速Ｖが高くなるほど走行振動が大きくなりその走行振動が静止状態のエンジン８の耐久性等に与える影響は大きくなる傾向にあるので、上記車速判定値Ｖ１は、上記モータ走行での車速Ｖがその車速判定値Ｖ１を超えるとエンジン８の耐久性維持の観点等からエンジン８の静止状態を継続させるべきではないと判断される閾値であって、実験等により求められた所定値として決定され、例えば１００ｋｍ／ｈとして予め実行条件判定手段８２に記憶されている。
【００９２】
前記モータ走行中であると走行状態判定手段８０によって判定された場合において回転実行手段８６は、実行条件判定手段８２が上記モータ走行での連続走行距離ＬMが所定の連続走行距離判定値Ｌ１を超えたことを肯定する判定、上記モータ走行での連続走行時間ＴMが所定の連続走行時間判定値Ｔ１を超えたことを肯定する判定、車速Ｖが所定の車速判定値Ｖ１を超えたことを肯定する判定のうちの少なくとも何れか１つを行った場合には、内燃機関であるエンジン８のエンジン出力軸９４を回転させる内燃機関回転制御を行う。具体的に上記内燃機関回転制御では、第１電動機回転速度ＮM1を第２電動機Ｍ２と同方向に引き上げることで、エンジン出力軸９４の回転速度であるエンジン回転速度ＮEが予め設定されている目標回転速度ＮE1例えば４００ｒｐｍにまで引き上げられ、そのエンジン出力軸９４の回転がエンジン点火されずに予め設定されている目標回転時間ＴE1例えば２秒間継続される。そして、このエンジン出力軸９４の回転により、連続走行距離ＬM及び連続走行時間ＴMは零に戻される。なお、目標回転速度ＮE1及び目標回転時間ＴE1はエンジン８の耐久性維持の観点からエンジン８内の潤滑等を行うための所定値であるので、その目的が達成されるのであれば燃費向上等の観点から低回転速度であって短時間であることが望ましい。そして、エンジン出力軸９４の回転時の振動を低減し快適性を損なわないようにするため、例えば、目標回転速度ＮE1は前記エンジン回転速度領域における共振領域以下に設定されている。また、エンジン８を潤滑する潤滑油の温度が低いほどその粘度が高くなりエンジン８はその回転によって潤滑され難くなる傾向にあるので、目標回転速度ＮE1、すなわち上記内燃機関回転制御におけるエンジン出力軸９４の回転速度は、エンジン８の温度、具体的にはエンジン８を冷却する冷却液の温度が低いほど或いは外気温度が低いほど、高くなるように設定又は変更されてもよい。また、目標回転時間ＴE1、すなわち上記内燃機関回転制御におけるエンジン出力軸９４を回転させる実施時間は、エンジン８の温度が低いほど或いは外気温度が低いほど、長くなるように設定又は変更されてもよい。
【００９３】
図９は、電子制御装置４０の制御作動の要部すなわち前記モータ走行中の走行振動がエンジン８の耐久性等に影響することを軽減するための制御作動を説明するフローチャートであり、例えば数ｍｓｅｃ乃至数十ｍｓｅｃ程度の極めて短いサイクルタイムで繰り返し実行される。なお、この図９のフローチャートは車両走行中に実行される。
【００９４】
先ず、ステップ（以下、「ステップ」を省略する）ＳＡ１では、車両走行中においてＥＶスイッチ９２がオンであるか否か、すなわち、ＥＶスイッチ９２の操作により前記モータ走行（ＥＶ走行）を行うことを指令する信号が出力されているか否かが判定される。この判定が肯定的である場合、すなわち、車両走行中においてＥＶスイッチ９２がオンである場合には前記モータ走行中であるのでＳＡ３に移る。一方、この判定が否定的である場合にはＳＡ２に移る。
【００９５】
ＳＡ２においては、前記エンジン走行中であるか否かが判定される。この判定が肯定的である場合、すなわち、上記エンジン走行中である場合には図９の制御作動は終了する。一方、この判定が否定的である場合には上記モータ走行中であるのでＳＡ３に移る。なお、上記ＳＡ１及びＳＡ２は、走行状態判定手段８０に対応する。
【００９６】
ＳＡ３においては、上記モータ走行での連続走行距離ＬMが所定の連続走行距離判定値Ｌ１を超えたか否かが判定される。例えば、連続走行距離ＬMは車速センサ４６により検出される変速機構１０の出力回転部材２２の回転回数に基づいて求められる。この判定が肯定的である場合、すなわち、上記モータ走行での連続走行距離ＬMが連続走行距離判定値Ｌ１を超えた場合にはＳＡ６に移る。一方、この判定が否定的である場合にはＳＡ４に移る。なお、上記モータ走行での連続走行距離ＬMは上記モータ走行での走行距離の累積でありそのモータ走行が断続的に行われてもその走行距離の累積は続き、上記エンジン走行が行われるなどしてエンジン出力軸９４が回転した場合には連続走行距離ＬMは零に戻され、その後の最初の上記モータ走行が行われた時点から上記モータ走行での走行距離の累積が開始される。
【００９７】
ＳＡ４においては、上記モータ走行での連続走行時間ＴMが所定の連続走行時間判定値Ｔ１を超えたか否かが判定される。この判定が肯定的である場合、すなわち、上記モータ走行での連続走行時間ＴMが連続走行時間判定値Ｔ１を超えた場合にはＳＡ６に移る。一方、この判定が否定的である場合にはＳＡ５に移る。なお、上記モータ走行での連続走行時間ＴMは上記モータ走行での走行時間の累積でありそのモータ走行が断続的に行われてもその走行時間の累積は続き、上記エンジン走行が行われるなどしてエンジン出力軸９４が回転した場合には連続走行時間ＴMは零に戻され、その後の最初の上記モータ走行が行われた時点から上記モータ走行での走行時間の累積が開始される。
【００９８】
ＳＡ５においては、車速Ｖが所定の車速判定値Ｖ１を超えたか否かが判定される。この判定が肯定的である場合、すなわち、車速Ｖが所定の車速判定値Ｖ１を超えた場合にはＳＡ６に移る。一方、この判定が否定的である場合には図９の制御作動は終了する。なお、上記ＳＡ３乃至ＳＡ５は、実行条件判定手段８２に対応する。
【００９９】
回転実行手段８６に対応するＳＡ６においては、エンジン出力軸９４を回転させる前記内燃機関回転制御が実行される。具体的に上記内燃機関回転制御では、第１電動機回転速度ＮM1を第２電動機Ｍ２と同方向に引き上げることによりエンジン回転速度ＮEが予め設定されている目標回転速度ＮE1にまで引き上げられ、そのエンジン出力軸９４の回転がエンジン点火されずに予め設定されている目標回転時間ＴE1継続される。すなわち、エンジン８が点火されることなく第１電動機Ｍ１によりエンジン回転速度ＮEが一時的に上昇させられる。なお、上記内燃機関回転制御が実行されるとエンジン出力軸９４は回転させられるので、連続走行距離ＬM及び連続走行時間ＴMは零に戻ることになる。
【０１００】
図１０は、図９のフローチャートに示す制御作動を説明するためのタイムチャートであって、前記モータ走行での連続走行距離ＬMが所定の連続走行距離判定値Ｌ１を超えたことにより前記内燃機関回転制御が実行された場合の例である。
【０１０１】
図１０のｔA1時点は、上記モータ走行中においてエンジン８の耐久性維持等の観点から上記内燃機関回転制御が実行されるべきと判断されたことを示している。具体的には、図９のＳＡ３にてモータ走行での連続走行距離ＬMが所定の連続走行距離判定値Ｌ１を超えたことを肯定する判定がなされたことを示している。
【０１０２】
図１０のｔA2時点は、上記内燃機関回転制御が開始されたことを示している。従って、ｔA2時点から第１電動機回転速度ＮM1が引き上げられ、それと動力分配機構１６の差動作用とにより第１電動機回転速度ＮM1に対応してエンジン回転速度ＮEが目標回転速度ＮE1にまで上昇している。
【０１０３】
ｔA3時点は、上記内燃機関回転制御が終了したことを示している。従って、第１電動機Ｍ１への通電が終了し第１電動機Ｍ１が自由回転する状態とされ、エンジン８の回転抵抗によりエンジン回転速度ＮEは目標回転速度ＮE1から減速しｔA3時点で零に至っている。そして、ｔA3時点でエンジン回転速度ＮEが零に至ったので、第１電動機Ｍ１は、車速Ｖを発生させている第２電動機Ｍ２と動力分配機構１６の差動作用とにより第２電動機Ｍ２とは逆回転をする状態に戻っている。また、上記内燃機関回転制御が実行されエンジン出力軸９４が回転したので、ｔA3時点でモータ走行での連続走行距離ＬMは零に戻り、図１０に図示されていないが、モータ走行での連続走行時間ＴMも零に戻る。なお、ｔA2時点からｔA3時点まで上記内燃機関回転制御が実行されているので、ｔA2時点からｔA3時点までの時間が目標回転時間ＴE1である。
【０１０４】
本実施例の電子制御装置４０には次のような効果（１）乃至（１１）がある。（１）前記電動機走行であるモータ走行での連続走行距離ＬMが所定の連続走行距離判定値Ｌ１を超えた場合には、エンジン出力軸９４を回転させる前記内燃機関回転制御が行われる。そうすると、エンジン出力軸９４の回転によりエンジン８内の潤滑が促進され、また、エンジン出力軸９４を一度回転させるとその回転の前後でエンジン８の構成部品が全く同じ姿勢等であるということは実際にはあり得ず、上記モータ走行の走行振動が加わる中、エンジン８が静止した状態でエンジン８の構成部品の同じ部位同士が同じ姿勢にまま互いに接触し続けることが回避されるので、上記モータ走行中に生じる走行振動がエンジン８の耐久性に影響することを軽減できる。
【０１０５】
（２）上記内燃機関回転制御での目標回転速度ＮE1は例えば、前記エンジン回転速度領域における共振領域以下に設定されている。そのように設定された場合には、乗員の快適性を損なうおそれがあるエンジン出力軸９４の回転時の振動を低減できる。
【０１０６】
（３）上記モータ走行での連続走行時間ＴMが所定の連続走行時間判定値Ｔ１を超えた場合には上記内燃機関回転制御が行われる。そうすると、エンジン出力軸９４の回転によりエンジン８内の潤滑が促進され、また上記モータ走行の走行振動が加わる中、エンジン８が静止した状態でエンジン８の構成部品の同じ部位同士が同じ姿勢にまま互いに接触し続けることが回避されるので、上記モータ走行中に生じる走行振動がエンジン８の耐久性に影響することを軽減できる。
【０１０７】
（４）一般的に、車速Ｖが高いほど車両を構成しているエンジン８等に加わる振動は大きくなるものである。この点、本実施例によれば、車速Ｖが所定の車速判定値Ｖ１を超えた場合には上記内燃機関回転制御が行われる。そうすると、エンジン出力軸９４の回転によりエンジン８内の潤滑が促進され、また、大きい走行振動が加わる中でエンジン８の静止状態が継続されることが回避されるので、上記モータ走行中に生じる走行振動がエンジン８の耐久性に影響することを軽減できる。
【０１０８】
（５）一般に、エンジン８を潤滑する潤滑油の温度が低いほどその粘度が高くなりエンジン８はその回転によって潤滑され難くなる傾向にある。この点、本実施例では、目標回転速度ＮE1、すなわち上記内燃機関回転制御におけるエンジン出力軸９４の回転速度は、エンジン８を冷却する冷却液の温度が低いほど高くなるように変更されてもよく、そのようにした場合には上記内燃機関回転制御において、エンジン８の冷却液の温度が低くエンジン８の潤滑油の温度が低いためにエンジン８内の潤滑の促進具合が低下するということを抑えることが可能である。
【０１０９】
（６）本実施例では、目標回転速度ＮE1、すなわち上記内燃機関回転制御におけるエンジン出力軸９４の回転速度は、外気温度が低いほど高くなるように変更されてもよく、そのようにした場合には上記内燃機関回転制御において、その外気温度が低くエンジン８の潤滑油の温度が低いためにエンジン８内の潤滑の促進具合が低下するということを抑えることが可能である。
【０１１０】
（７）本実施例では、目標回転時間ＴE1、すなわち上記内燃機関回転制御におけるエンジン出力軸９４を回転させる実施時間は、エンジン８の冷却液の温度が低いほど長くなるように変更されてもよく、そのようにした場合には上記内燃機関回転制御において、エンジン８の冷却液の温度が低くエンジン８の潤滑油の温度が低いためにエンジン８内の潤滑の促進具合が低下するということを抑えることが可能である。
【０１１１】
（８）本実施例では、目標回転時間ＴE1、すなわち上記内燃機関回転制御におけるエンジン出力軸９４を回転させる実施時間は、外気温度が低いほど長くなるように変更されてもよく、そのようにした場合には上記内燃機関回転制御において、その外気温度が低くエンジン８の潤滑油の温度が低いためにエンジン８内の潤滑の促進具合が低下するということを抑えることが可能である。
【０１１２】
（９）動力分配機構１６に連結された第１電動機Ｍ１の運転状態が制御されることにより動力分配機構１６の差動状態が制御される差動部１１と、エンジン８又は差動部１１から駆動輪３８までの動力伝達経路の一部を構成する自動変速部２０とを、前記動力伝達装置である変速機構１０は備えているので、差動部１１と自動変速部２０とで全体として無段変速機を構成することが可能であり、変速機構１０からの出力トルクを滑らかに変化させることが可能である。
【０１１３】
（１０）自動変速部２０は有段変速機であるので、自動変速部２０の変速比を広い範囲で変化させることが可能である。
【０１１４】
（１１）差動部１１は、動力分配機構１６の差動用電動機として機能する第１電動機Ｍ１と、駆動輪３８への動力伝達経路に連結された電動機である第２電動機Ｍ２と、すなわち２つ以上の電動機と、差動部遊星歯車装置２４とを備えているので、第１電動機Ｍ１の運転状態が制御されることにより、エンジン回転速度ＮEを変化させなくても、差動部１１からの出力回転速度である伝達部材１８の回転速度Ｎ18を連続的に増減速できる。
【０１１５】
以上、本発明の実施例を図面に基づいて詳細に説明したが、これはあくまでも一実施形態であり、本発明は当業者の知識に基づいて種々の変更、改良を加えた態様で実施することができる。
【０１１６】
例えば、本実施例の前記内燃機関回転制御では、第１電動機Ｍ１によってエンジン回転速度ＮEが引き上げられるが、切換えクラッチＣ０又は切換ブレーキＢ０を係合又は半係合（滑らせる状態）とし動力分配機構１６の差動作用を制限して、エンジン出力軸９４を回転させてもよい。言い換えると、エンジン出力軸９４を回転させる上で第１電動機Ｍ１は必ず必要というものではないということであり、要するに、変速機構１０が第２電動機Ｍ２を備えていること、すなわち、電動機を１つ以上備えておればよいということである。このように切換えクラッチＣ０又は切換ブレーキＢ０によりエンジン出力軸９４を回転させる場合には、第１電動機Ｍ１を駆動せずにエンジン出力軸９４を回転させることが可能である。そして、上記内燃機関回転制御において、車両走行中エンジン８側へ駆動輪３８から伝達される逆駆動トルクがエンジン出力軸９４を回転させるために充分な大きさであれば、第２電動機Ｍ２から出力させる必要がない場合もある。なお、切換えクラッチＣ０及び切換ブレーキＢ０は差動機構である動力分配機構１６の差動作用を制限できる係合要素であるので、動力分配機構１６の差動制限装置であると言える。
【０１１７】
また本実施例において、変速機構１０は差動機構としての動力分配機構１６と第１電動機Ｍ１とを備えているが、例えば、第１電動機Ｍ１及び動力分配機構１６を備えてはおらず、エンジン８，クラッチ，駆動輪３８への動力伝達経路に連結された電動機である第２電動機Ｍ２，自動変速部２０が直列に連結されたハイブリッド車両であってもよい。そのようにした場合の前記内燃機関回転制御では、例えば、エンジン８と第２電動機Ｍ２との間に設けられた上記クラッチを係合又は半係合（滑らせる状態）とすることで、駆動輪３８から伝達される上記逆駆動トルクや第２電動機トルクＴM2によってエンジン出力軸９４が回転させられる。
【０１１８】
また本実施例の変速機構１０は、エンジン８から出力される機械的エネルギが電気エネルギに変換されずに駆動輪３８に伝達される機械パス（機械的動力伝達経路）を少なくとも備える構成であるが、例えば、エンジン８が駆動輪３８に機械的には連結されておらず、ジェネレータ（発電）機能とモータ（電動機）機能とを備え互いに電気的に結合された２つの電動機を含み、そのうちの一方の電動機はエンジン８に機械的に連結され、他方の電動機は駆動輪３８への動力伝達経路に機械的に連結されており、エンジン８から出力される機械的エネルギが上記一方の電動機で電気エネルギに変換されその電気エネルギが上記他方の電動機で機械的エネルギに変換されることによって走行する所謂シリーズハイブリッド方式のハイブリッド車両であっても、本発明は適用される。
【０１１９】
また、前記モータ走行中において車速Ｖが所定の車速判定値Ｖ１を超えた場合には前記内燃機関回転制御が実行されるが、上記モータ走行中において車速Ｖが所定の車速判定値Ｖ１を超えた状態が継続した場合には、上記内燃機関回転制御におけるエンジン出力軸９４の回転が継続されるのではなく、所定の時間間隔を空けてその内燃機関回転制御が実行されてもよい。また、上記モータ走行中において車速Ｖが所定の車速判定値Ｖ１を超えた状態が所定時間継続した場合には、上記モータ走行から前記エンジン走行に走行状態が切り換えられるようにしてもよい。
【０１２０】
また、前記内燃機関回転制御が実行されるとエンジン出力軸９４の回転が目標回転時間ＴE1継続されるが、時間による制限ではなく、例えばエンジン出力軸９４の回転が所定の回転回数実施されるようにしてもよい。極言すれば、エンジン出力軸９４が１回転させられるとしてもよい。
【０１２１】
また、エンジン８の前記冷却液は、エンジン８を冷却するための液体であればその成分が限定されるものではなく、水でも油でもよい。
【０１２２】
また、差動部１１（動力分配機構１６）はそのギヤ比γ０が最小値γ０min から最大値γ０max まで連続的に変化させられる電気的な無段変速機として機能するものであったが、例えば差動部１１の変速比γ０を連続的ではなく差動作用を利用して敢えて段階的に変化させるものであってもよい。
【０１２３】
また、変速機構１０においてエンジン８と差動部１１とは直結されているが、エンジン８が差動部１１にクラッチ等の係合要素を介して連結されていてもよい。
【０１２４】
また、変速機構１０において第１電動機Ｍ１と第２回転要素ＲＥ２とは直結されており、第２電動機Ｍ２と第３回転要素ＲＥ３とは直結されているが、第１電動機Ｍ１が第２回転要素ＲＥ２にクラッチ等の係合要素を介して連結され、第２電動機Ｍ２が第３回転要素ＲＥ３にクラッチ等の係合要素を介して連結されていてもよい。
【０１２５】
また、エンジン８から駆動輪３８への動力伝達経路において、差動部１１の次に自動変速部２０が連結されているが、自動変速部２０の次に差動部１１が連結されている順番でもよい。要するに、自動変速部２０は、エンジン８から駆動輪３８への動力伝達経路の一部を構成するように設けられておればよい。
【０１２６】
また、図１によれば、差動部１１と自動変速部２０は直列に連結されているが、変速機構１０全体として電気的に差動状態を変更し得る電気式差動機能とその電気式差動機能による変速とは異なる原理で変速する機能とが備わっていれば、差動部１１と自動変速部２０とが機械的に独立していなくても本発明は適用される。
【０１２７】
また、本実施例において動力分配機構１６はシングルプラネタリであるが、ダブルプラネタリであってもよい。
【０１２８】
また、差動部遊星歯車装置２４を構成する第１回転要素ＲＥ１にはエンジン８が動力伝達可能に連結され、第２回転要素ＲＥ２には第１電動機Ｍ１が動力伝達可能に連結され、第３回転要素ＲＥ３には駆動輪３８への動力伝達経路が連結されているが、例えば、２つの遊星歯車装置がそれを構成する一部の回転要素で相互に連結された構成において、その遊星歯車装置の回転要素にそれぞれエンジン、電動機、駆動輪が動力伝達可能に連結されており、その遊星歯車装置の回転要素に連結されたクラッチ又はブレーキの制御により有段変速と無段変速とに切換可能な構成にも本発明は適用される。
【０１２９】
また、自動変速部２０は有段の自動変速機として機能する変速部であるが、無段のＣＶＴであってもよいし、手動変速機として機能する変速部であってもよい。
【０１３０】
また、第２電動機Ｍ２は伝達部材１８に直接連結されているが、第２電動機Ｍ２の連結位置はそれに限定されず、エンジン８又は伝達部材１８から駆動輪３８までの間の動力伝達経路に直接的或いは変速機、遊星歯車装置、係合装置等を介して間接的に連結されていてもよい。
【０１３１】
また、動力分配機構１６では、差動部キャリヤＣＡ０がエンジン８に連結され、差動部サンギヤＳ０が第１電動機Ｍ１に連結され、差動部リングギヤＲ０が伝達部材１８に連結されていたが、それらの連結関係は、必ずしもそれに限定されるものではなく、エンジン８、第１電動機Ｍ１、伝達部材１８は、差動部遊星歯車装置２４の３要素ＣＡ０、Ｓ０、Ｒ０のうちのいずれと連結されていても差し支えない。
【０１３２】
また、エンジン８は入力軸１４と直結されていたが、例えばギヤ、ベルト等を介して作動的に連結されておればよく、共通の軸心上に配置される必要もない。
【０１３３】
また、第１電動機Ｍ１および第２電動機Ｍ２は、入力軸１４に同心に配置されて第１電動機Ｍ１は差動部サンギヤＳ０に連結され第２電動機Ｍ２は伝達部材１８に連結されていたが、必ずしもそのように配置される必要はなく、例えばギヤ、ベルト、減速機等を介して作動的に第１電動機Ｍ１は差動部サンギヤＳ０に連結され、第２電動機Ｍ２は伝達部材１８に連結されていてもよい。
【０１３４】
また、自動変速部２０は伝達部材１８を介して差動部１１と直列に連結されていたが、入力軸１４と平行にカウンタ軸が設けられてそのカウンタ軸上に同心に自動変速部２０が配列されていてもよい。この場合には、差動部１１と自動変速部２０とは、たとえば伝達部材１８としてカウンタギヤ対、スプロケットおよびチェーンで構成される１組の伝達部材などを介して動力伝達可能に連結される。
【０１３５】
また、動力分配機構１６は１組の差動部遊星歯車装置２４から構成されていたが、２以上の遊星歯車装置から構成されて、非差動状態（定変速状態）では３段以上の変速機として機能するものであってもよい。
【０１３６】
また、第２電動機Ｍ２はエンジン８から駆動輪３８までの動力伝達経路の一部を構成する伝達部材１８に連結されているが、第２電動機Ｍ２がその動力伝達経路に連結されていることに加え、クラッチ等の係合要素を介して動力分配機構１６にも連結可能とされており、第１電動機Ｍ１の代わりに第２電動機Ｍ２によって動力分配機構１６の差動状態を制御可能とする変速機構１０の構成であってもよい。
【図面の簡単な説明】
【０１３７】
【図１】本発明の制御装置が適用されるハイブリッド車両用駆動装置の構成を説明する骨子図である。
【図２】図１のハイブリッド車両用駆動装置が無段或いは有段変速作動させられる場合における変速作動とそれに用いられる油圧式摩擦係合装置の作動の組み合わせとの関係を説明する作動図表である。
【図３】図１のハイブリッド車両用駆動装置が有段変速作動させられる場合における各ギヤ段の相対回転速度を説明する共線図である。
【図４】図１のハイブリッド車両用駆動装置に設けられた電子制御装置の入出力信号を説明する図である。
【図５】シフトレバーを備えた複数種類のシフトポジションを選択するために操作されるシフト操作装置の一例である。
【図６】図４の電子制御装置による制御機能の要部を説明する機能ブロック線図である。
【図７】図１のハイブリッド車両用駆動装置において、車速と出力トルクとをパラメータとする同じ二次元座標に構成された、自動変速部の変速判断の基となる予め記憶された変速線図の一例と、変速機構の変速状態の切換判断の基となる予め記憶された切換線図の一例と、エンジン走行とモータ走行とを切り換えるためのエンジン走行領域とモータ走行領域との境界線を有する予め記憶された駆動力源切換線図の一例とを示す図であって、それぞれの関係を示す図でもある。
【図８】無段制御領域と有段制御領域との境界線を有する予め記憶された関係を示す図であって、図７の破線に示す無段制御領域と有段制御領域との境界をマップ化するための概念図でもある。
【図９】電子制御装置の制御作動の要部すなわちモータ走行中の走行振動がエンジンの耐久性等に影響することを軽減するための制御作動を説明するフローチャートである。
【図１０】図９のフローチャートに示す制御作動を説明するためのタイムチャートであって、モータ走行での連続走行距離が所定の連続走行距離判定値を超えたことにより内燃機関回転制御が実行された場合の例である。
【符号の説明】
【０１３８】
８：エンジン（内燃機関）            １０：変速機構（動力伝達装置）
１１：差動部（電気式差動部）          １６：動力分配機構（差動機構）
２０：自動変速部（変速部）
２４：差動部遊星歯車装置（遊星歯車装置）
４０：電子制御装置（制御装置）
９４：エンジン出力軸（出力軸）
Ｍ１：第１電動機（電動機）            Ｍ２：第２電動機（電動機）
【図１】
2008302801.tif 000003
【図２】
2008302801.tif 000004
【図３】
2008302801.tif 000005
【図４】
2008302801.tif 000006
【図５】
2008302801.tif 000007
【図６】
2008302801.tif 000008
【図７】
2008302801.tif 000009
【図８】
2008302801.tif 000010
【図９】
2008302801.tif 000011
【図１０】
2008302801.tif 000012